(57)【要約】      （修正有）【課題】安全靴のフィット感を向上させると共に安全靴内部の空気を循環させて作業者の作業能率が改善できるようにした安全靴の靴底の提供。【解決手段】安全靴に結合される靴底の構成として、靴底前面部に体重により上下に搖動する湾曲凸部５と空気流通路７とを形成し、後面部には弾発スプリング１３とエアパッド１５とが設けられた空気排出口を形成し、安全靴のフィット感を向上させるとともに安全靴内部の空気を循環させ作業者の作業能率が改善できるようにした。【選択図】図３
0003113033.tif 000002
【実用新案登録請求の範囲】
【請求項１】
複数の傾斜突起（１）と該傾斜突起（１）内側に安全板（２）が装着された外底（３）と、該外底（３）の該傾斜突起（１）と結合される凹部（４）が形成され、湾曲凸部（５）には空気排出口（６）に連結され通風口挿入口（８）とスプリング保持部（９）に連結される空気流通路（７）及び空気排出口（６’）と連結される空気流通路（７’）が形成され、該スプリング保持部（９）にはエアパッド保持部（１０）が形成された中底（１１）と、該中底（１１）の通風口挿入口（８）とスプリング保持部（９）及びエアパッド保持部（１０）には、一方向通風口（１２）と弾発スプリング（１３）と内芯体（１４）とが設けられたエアパッド（１５）が形成され、上記の中底（１１）の上側に空気通孔（１６）（１６’）を設けた内底（１７）を形成してなることを特徴とする安全靴の靴底。
【請求項２】
請求項１において、湾曲凹部（３−１）が形成された外底（３’）と、該外底（３’）の該湾曲凹部（３−１）と結合される湾曲凸部（５）が形成され、該湾曲凸部（５）には空気排出口（６）に連結され通風口挿入口（８）とスプリング保持部（９）に連結される空気流通路（７）及び空気排出口（６’）と連結される空気流通路（７’）が形成され、該スプリング保持部（９）にはエアパッド保持部（１０）が形成された中底（１１）と、該中底（１１）の通風口挿入口（８）とスプリング保持部（９）及びエアパッド保持部（１０）には、一方向通風口（１２）と弾発スプリング（１３）と内芯（１４）とが設けられたエアパッド（１５）が形成され、上記の中底（１１）の上側に空気通孔（１６）（１６’）を設けた内底（１７）を形成してなることを特徴とする安全靴の靴底。
【考案の詳細な説明】
【技術分野】
【０００１】
本考案は安全靴の靴底として、詳細には湾曲凸部と空気流通路とを持つ靴底にエアパッドを結合させ、足に加えられる体重を分散させ、安全靴内部の有害空気を排出し、安全靴内部を快適にする安全靴の靴底構造に関するものである。
【背景技術】
【０００２】
人の体重を受けている足の保護と靴のフィット感を向上させる為、靴底の構成は、体重を受け止め得ると共に荷重を分散させるよう、靴の外底と内底に緩衝機能を持つように構成するが、かかる目的で靴底を構成する従来の考案等は、足の受け止め得る体重を分散させる為、靴底の後部に空気の緩衝作用を持つエアバッグを形成したり、弾性の高い材質の中底と内底とで構成し、靴が体重を受け止めることができるようにしたものであった。
【０００３】
一般に、過度な荷重が身体に加わったり、作業条件が良好でない建設現場や生産及び製造工場等のように作業者の安全が外部から侵害され易い作業条件下では、作業者の安全の為、必ず安全靴を着用することになっているが、しかし、従来の安全靴の構成は必ずしも快適性を考慮したものではなく、生産原価の節減をも目的としたものであったため、いろいろな問題点が含まれていた。
【０００４】
特に、従来の安全靴においては、身体に加わる荷重を解消する機能が微弱であるから、安全靴のフィット感を低下させ、長時間に渡って安全靴を着用する場合、足の疲労度を急速に増加させ、安全靴内部の空気が循環できなくなり、安全靴の内部に有害空気を残留させ、作業者の健康が脅やかされるといった問題が発生する。
【考案の開示】
【考案が解決しようとする課題】
【０００５】
本考案は上記の問題点に鑑み、安全靴に結合される靴底の構成において、靴底前面部に体重により上下に搖動する湾曲凸部と空気流通路とを形成し、後面部には弾発スプリングとエアパッドとが設けられた空気排出口を形成し、安全靴のフィット感を向上させると共に安全靴内部の空気を循環させて作業者の作業能率が改善できるようにしたものである。
【課題を解決するための手段】
【０００６】
本考案の安全靴の靴底は、複数の傾斜突起（１）と該傾斜突起（１）内側に安全板（２）が装着された外底（３）と、該外底（３）の該傾斜突起（１）と結合される凹部（４）が形成され、湾曲凸部（５）には空気排出口（６）に連結され通風口挿入口（８）とスプリング保持部（９）に連結される空気流通路（７）及び空気排出口（６’）と連結される空気流通路（７’）が形成され、該スプリング保持部（９）にはエアパッド保持部（１０）が形成された中底（１１）と、該中底（１１）の通風口挿入口（８）とスプリング保持部（９）及びエアパッド保持部（１０）には、一方向通風口（１２）と弾発スプリング（１３）と内芯体（１４）とが設けられたエアパッド（１５）が形成され、上記の中底（１１）の上側に空気通孔（１６）（１６’）を設けた内底（１７）を形成してなるものである。
【０００７】
又、本考案の安全靴の靴底の、別の実施態様は、湾曲凹部（３−１）が形成された外底（３’）と、該外底（３’）の該湾曲凹部（３−１）と結合される湾曲凸部（５）が形成され、該湾曲凸部（５）には空気排出口（６）に連結され通風口挿入口（８）とスプリング保持部（９）に連結される空気流通路（７）及び空気排出口（６’）と連結される空気流通路（７’）が形成され、該スプリング保持部（９）にはエアパッド保持部（１０）が形成された中底（１１）と、該中底（１１）の通風口挿入口（８）とスプリング保持部（９）及びエアパッド保持部（１０）には、一方向通風口（１２）と弾発スプリング（１３）と内芯（１４）とが設けられたエアパッド（１５）が形成され、上記の中底（１１）の上側に空気通孔（１６）（１６’）を設けた内底（１７）を形成してなるものである。
【０００８】
このように、傾斜突起（１）と安全板（２）を有する外底（３）、或いは湾曲凹部（３−１）が形成された外底（３’）と、湾曲凸部（５）とエアパッド（１５）とを有する中底（１１）と、空気通孔（１６）（１６’）が形成された内底（１７）が結合された靴底（１８）は、該靴底（１８）の上側に甲皮（２１）を形成し、安全靴（２２）として使用するものである。
【考案の効果】
【０００９】
本考案の安全靴の靴底は、靴底（１８）の構成が、湾曲凸部（５）（及び湾曲凹部（３−１））の緩衝作用とエアパッド（１５）と弾発スプリング（１３）の緩衝作用を通じて身体の体重が足に加えられる圧力を解消するから、安全靴（２２）を着用した作業者の疲労度を減少させる効果がある。
【００１０】
また、本考案の安全靴の靴底は、靴底（１８）に形成された空気流通路（７）（７’）を通じ安全靴（２２）内部の空気を外部に迅速に排出するから、安全靴（２２）内部の空気をさわやかに維持することができ、一層作業者の作業環境を改善する効果がある。
【考案を実施するための最良の形態】
【００１１】
このような本考案の構成を、添付図面を参照して作用により説明すると、外底（３）に安全板（２）を位置させ、外底（３）の傾斜突起（１）と中底（１１）の凹部（４）とを結合した状態で、成形機（図示しない）を用いて安全板（２）が装着された外底（３）を中底（１１）と結合する。
【００１２】
上記の安全板（２）は外底（３）を貫く釘その他の異物質を遮断する保護具として使用する。
【００１３】
本考案で内底（１７）に形成された空気通孔（１６）（１６’）の中で、空気通孔（１６）は内底（１７）上部の空気が流入され、中底（１１）の空気流通路（７）に沿って移動し、通風口挿入口（８）の一方向通風口（１２）を経由し、スプリング保持部（９）の空気排出口（６）を通じ外部へ排出される。
【００１４】
本考案で他の空気通孔（１６’）は、空気流通路（７’）を経由し空気排出口（６’）を通じ安全靴（２２）の外部へ空気が排出される。
【００１５】
本考案で中底（１１）に形成された湾曲凸部（５）は、内底（１７）上側から加わる体重に対する緩衝具の機能を遂行するので、歩行や駆け足の途中に体重が足の前面部に加われば、体重により外底（３）の方へ反り、体重が解消されたら元の状態に回復される上下微動作用を反復するから体重による荷重を分散させることができる。
【００１６】
また、湾曲凸部（５）の上下微動作用は安全靴（２２）の内部空気を外部排出するポンピング作用を遂行するから、空気流通路（７）（７’）を通じ一層効率よく安全靴（２２）の内部の空気を外部へ排出させる。
【００１７】
本考案で中底（１１）に装着される弾発スプリング（１３）とエアパッド（１５）の作用は、スプリング保持部（９）の弾発スプリング（１３）の上下弾発作用と、エアパッド保持部（１０）に位置するエアパッド（１５）とスプリング保持部（９）の間の空間がエアクッション機能を有するから、体重が足の後面部に伝達される時、弾発スプリング（１３）とエアパッド（１５）とが下向し、体重による荷重が喪失されると弾発スプリング（１３）とエアパッド（１５）とが元来の形態に復元される過程を反復しながら、緩衝具の機能を遂行する。
【００１８】
本考案のエアパッド（１５）の構成から分かるように、体重によって加えられる荷重により伸縮作用を遂行するエアパッド（１５）の内部には、エアパッド（１５）の復元を滑らかにする内芯体（１４）が形成されており、弾性を有する合成樹脂で構成された内芯体（１４）の復元力によってエアパッド（１５）が迅速に復元する。
【００１９】
上記の内芯体（１４）とエアパッド（１５）との結合は、成形具（図示しない）に内芯体（１４）を位置させた状態で、内芯体（１４）の外部にエアパッド（１５）を成形してなるものである。
【００２０】
本考案の他の実施例としては、上記の靴底（１８）の構成において外底（３）の構成を異にするもので、湾曲凹部（３−１）の形成された外底（３’）を中底（１１）と結合させ使用できるようにしたものを挙げることができる。
【００２１】
上記の構成を詳細に説明すると、外底（３）の構成が、中底（１１）の湾曲凸部（５）に接する湾曲凹部（３−１）が設けられた外底（３’）に代わっており、湾曲凸部（５）と湾曲凹部（３−１）がお互いに密着するようにし、地面と接する外底（３’）の下面には湾曲凹部（３−１）ほどの空間部（Ａ）が形成され、中底（１１）の湾曲凸部（５）に加えられる圧力により、外底（３’）の湾曲凹部（３−１）が上下に微動しながら、湾曲凸部（５）と湾曲凹部（３−１）によるクッション機能を有するようにしたものである。
【産業上の利用可能性】
【００２２】
上記で詳細に説明したように、本考案の安全靴の靴底は、靴底（１８）の構成が、湾曲凸部（５）（及び湾曲凹部（３−１））の緩衝作用とエアパッド（１５）と弾発スプリング（１３）の緩衝作用を通じて身体の体重が足に加えられる圧力を解消するから、安全靴（２２）を着用した作業者の疲労度を減少させる効果がある。
【００２３】
また、本考案の安全靴の靴底は、靴底（１８）に形成された空気流通路（７）（７’）を通じ安全靴（２２）内部の空気を外部に迅速に排出するから、安全靴（２２）内部の空気をさわやかに維持することができ、一層作業者の作業環境を改善する効果がある。
【図面の簡単な説明】
【００２４】
【図１】本考案の分離斜視図。
【図２】本考案の斜視図。
【図３】本考案の縦断面図。
【図４】本考案の使用状態図。
【図５】本考案の他の実施態様の分離斜視図。
【図６】図５の縦断面図。
【符号の説明】
【００２５】
１；  傾斜突起
２；  安全板
３、  ３'；  外底
３−１；  湾曲凹部
４；  凹部
５；  湾曲凸部
６、  ６'；  空気排出口
７、  ７'；  空気流通路
８；  通風口挿入口
９；  スプリング保持部
１０；  エアパッド保持部
１１；  中底
１２；  一方向通風口
１３；  弾発スプリング
１４；  内芯体
１５；  エアパッド
１６、  １６'；  空気通孔
１７；  内底
１８；  靴底
２１；  甲皮
２２；  安全靴
【図１】
0003113033.tif 000003
【図２】
0003113033.tif 000004
【図３】
0003113033.tif 000005
【図４】
0003113033.tif 000006
【図５】
0003113033.tif 000007
【図６】
0003113033.tif 000008